(57)【要約】【課題】高速駆動が可能で、しかも低温環境下でも駆動マージンが広く不灯のないプラズマディスプレイ装置を提供することを目的とする。【解決手段】少なくとも前面側が透明な一対の基板を基板間に放電空間が形成されるように対向配置するとともに放電空間を複数に仕切るための隔壁を少なくとも一方の基板に配置し、かつ隔壁により仕切られた放電空間に放電が発生するように基板に電極群を配置するとともに放電により発光する蛍光体層を設けたパネル本体１４を有するプラズマディスプレイ装置において、パネルを加熱するヒーター板２０を配置する。【選択図】　図１
2004087289.tif 000002
【特許請求の範囲】
【請求項１】
少なくとも前面側が透明な一対の基板を前記基板間に放電空間が形成されるように対向配置するとともに前記放電空間を複数に仕切るための隔壁を少なくとも一方の前記基板に配置し、かつ前記隔壁により仕切られた放電空間に放電が発生するように前記基板に電極群を配置するとともに放電により発光する蛍光体層を設けたパネル本体を有するプラズマディスプレイ装置において、前記パネル本体を加熱するヒーターを配置したことを特徴とするプラズマディスプレイ装置。
【請求項２】
温度計測手段を備え、パネルの温度が所定の温度以下の時にヒーターに通電するように構成したことを特徴とする請求項１に記載のプラズマディスプレイ装置。
【請求項３】
タイマーによって所定の時間ヒーターに通電するように構成したことを特徴とする請求項１に記載のプラズマディスプレイ装置。
【請求項４】
映像信号から点灯率を算出する手段を設け、前記点灯率が所定の値を下回る時、ヒーターに通電するように構成したことを特徴とする請求項１に記載のプラズマディスプレイ装置。
【請求項５】
映像信号の走査方向に沿って、加熱量が大きくなるようにヒーターを配置したことを特徴とする請求項１に記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
従来、プラズマディスプレイ装置のパネル本体は、図８に示すような構造である。図９はパネル本体をＡ−Ａ線で切断した断面を示し、図１０はパネル本体をＢ−Ｂ線で切断した断面を示している。
【０００５】
図に示すように、ガラス基板などの透明な前面側の基板１上には、走査電極２と維持電極３とで対をなすストライプ状の表示電極４が複数対形成され、そして基板１上の隣り合う表示電極４間には遮光層５が配置形成されている。この走査電極２および維持電極３は、それぞれ透明電極２ａ、３ａおよびこの透明電極２ａ、３ａに電気的に接続された銀等の母線２ｂ、３ｂとから構成されている。また、前記前面側の基板１には、前記複数対の電極群を覆うように誘電体層６が形成され、その誘電体層６上には保護膜７が形成されている。
【０００６】
また、前記前面側の基板１に対向配置される背面側の基板８上には、走査電極２及び維持電極３の表示電極４と直交する方向に、絶縁体層９で覆われた複数のストライプ状のデータ電極１０が形成されている。このデータ電極１０間の絶縁体層９上には、データ電極１０と平行にストライプ状の複数の隔壁１１が配置され、この隔壁１１間の側面１１ａおよび絶縁体層９の表面に蛍光体層１２が設けられている。
【０００７】
これらの基板１と基板８とは、走査電極２および維持電極３とデータ電極１０とが直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁１１によって複数の区画に仕切ることにより、表示電極４とデータ電極１０との交点が位置する複数の放電セル１３が設けられ、その各放電セル１３には、赤色、緑色及び青色となるように蛍光体層１２が一色ずつ順次配置されている。
【０００８】
ここで、上記保護膜７としては、安定な放電特性を得るために電子放出特性（２次電子放出係数：γ）に優れたＭｇＯ膜を用いている。近年は、ハイビジョン映像を表示できるようなより高精細な画像表示品質を得るために高速の書込み（アドレス）駆動が必要になってきており、今まで以上に電子放出特性の優れたＭｇＯ膜が求められている。
【０００９】
【発明が解決しようとする課題】
従来のプラズマディスプレイ装置においては、ＭｇＯからの電子放出特性を良くすればするほど、ＭｇＯからの電子放出に起源をもつ放電前駆電流により壁電荷が消失し、書込み放電が起こりにくくなる課題があった。特に、室温より低温の環境下では壁電荷の消失量が格段に多くなり、駆動上マージンが狭くなるというという現象が見られ、点灯すべきセルが点灯しない不灯の問題が顕著になっていた。また、この現象は壁電荷を与える初期化放電から書込み放電までの時間が長くなるアドレス走査が最後付近の表示電極４ラインで発生し易い。
【００１０】
本発明はこのような課題を解決し、高速駆動が可能で、しかも低温環境下でも駆動マージンが広く不灯のないプラズマディスプレイ装置を提供することを目的とするものである。
【００１１】
【課題を解決するための手段】
上記目的を達成するために本発明のプラズマディスプレイ装置は、パネル本体を加熱するヒーターを備えたことを特徴としたものであり、パネルを加熱することによって低温下でも駆動マージンが広く不灯をなくすことができる。
【００１２】
【発明の実施の形態】
すなわち、本発明の請求項１に記載のプラズマディスプレイ装置は、少なくとも前面側が透明な一対の基板を基板間に放電空間が形成されるように対向配置するとともに放電空間を複数に仕切るための隔壁を少なくとも一方の基板に配置し、かつ隔壁により仕切られた放電空間で放電が発生するように基板に電極群を配置するとともに放電により発光する蛍光体層を設けたパネル本体を有するプラズマディスプレイ装置において、パネル本体を加熱するヒーターを備えたことを特徴とする。
【００１３】
また、本発明の請求項２に記載のプラズマディスプレイ装置は、上記構成において、温度計測手段を備え、パネルの温度がある規定温度以下になるとヒーターに通電するように構成したことを特徴とする。
【００１４】
また、本発明の請求項３に記載のプラズマディスプレイ装置は、上記構成において、タイマーによって所定の時間ヒーターに通電するように構成したことを特徴とする。
【００１５】
また、本発明の請求項４に記載のプラズマディスプレイ装置は、上記構成において、映像信号から点灯率を算出する手段を設け、点灯率が所定の値を下回る時、ヒーターに通電するように構成したことを特徴とする。
【００１６】
さらに、本発明の請求項５に記載のプラズマディスプレイ装置は、上記構成において、映像信号のスキャン方向に沿って、過熱の強さを変化させるヒーターを配置したことを特徴とする。
【００１７】
以下、本発明の一実施の形態によるプラズマディスプレイ装置について、図１〜図７を用いて説明する。
【００１８】
図１に本発明の一実施の形態によるプラズマディスプレイ装置の全体構成を示している。図において、パネル本体１４を収容するケースは、金属製のフロントケース部１５とバックケース部１６とから構成され、フロントケース部１５の前面にはガラス等からなる透光部１７が設けられている。また、この透光部１７には電磁波シールドのために、例えば銀蒸着が施されている。さらに、バックケース部１６には、パネル本体１４等で発生した熱を外部に放出するための複数の通気孔１６ａが設けられている。前記パネル本体１４は、アルミニウム製のシャーシ部材１８の前面に絶縁性の熱伝導シート１９とパネルを加熱するためのヒーターを備えたヒーター板２０を介して接着することにより保持され、そしてシャーシ部材１８の後面側には、パネル本体１４を発光駆動させるための複数の回路ブロック２１が取り付けられている。
【００１９】
図２にヒーター板の構成の一例を示す。ヒーター板２０は絶縁性の薄板２０１を用い、電熱線２０２を薄板２０１上に配置することにより構成されている。薄板２０１は、例えばガラスやセラミック板など絶縁性があり、かつ熱伝導性に優れたもので構成される。また、熱電対２０３が少なくとも１個以上薄板２０１上に形成されている。
【００２０】
図３にヒーターの制御系のブロック図を示す。パネル本体１４の温度を熱電対２０３により検出し、その情報がマイクロコンピュータ（マイコン）３０１に送られる。マイコン３０１では、複数個の熱電対２０３の最低温度（ＴＬ）が所定の値（例えば１５℃）を下回ると、電熱線２０２に通電するようにヒータースイッチ３０２をＯＮし、ＴＬが所定の温度（例えば１５℃）以上になるとヒータースイッチ３０２をＯＦＦするように制御する。
【００２１】
ここで、比較のために、ヒーター板２０のないプラズマディスプレイ装置を構成し、本発明品および比較品のプラズマディスプレイ装置を０〜１０℃の部屋に設置し、動作させたところ、比較品のプラズマディスプレイ装置では画面の中央部から下半分にかけて多数の不灯になった放電セルが見られたが、本発明のプラズマディスプレイ装置では全く見られなかった。図４はＲ，Ｇ，Ｂ各放電セルの壁電荷の消失量を測定した結果の一例を示している。この図のように低温環境下では壁電荷の消失量が多くなることがわかる。従って、このように熱電対２０３を用いてパネルの温度を監視し、常にパネル本体１４の温度が高くなるように、ヒーター板２０を使って制御することにより、壁電荷の消失量を少なくし、セル不灯をなくすことができる。
【００２２】
図５〜図７に本発明の他の実施の形態を示しており、以下その説明を行う。
【００２３】
図５に示す例は、熱電対２０３のような温度検出手段を使用せずに、放電セルの不灯を防止する方法として、タイマー４０１を備え、プラズマディスプレイ装置の主電源ＯＮからの時間経過を計測し、主電源ＯＮから所定時間が経過するまで上記ヒーター板２０に通電するように制御するものである。ヒーター板２０を通電する所定時間として、動画表示の場合、パネル本体１４の温度がおよそ１０℃程度上昇する１〜５分程度が好ましい。この構成を用いたプラズマディスプレイ装置を構成し、上記実施の形態と同様に、０〜１０℃の部屋で動作させたところ、放電セルの不灯は全く見られなかった。
【００２４】
図６に示す例は、ヒーター板２０への通電時間をより精度良くコントロールする方法として、プラズマディスプレイ装置に入力される映像信号からパネル本体１４の点灯率を算出する手段を設け、点灯率が所定の値を下回る時、ヒーター板２０がＯＮ状態となり、逆に点灯率がその値を上回る時、ヒーター板２０がＯＦＦ状態になるように制御するものである。さらに詳しく説明すると、点灯率の算出は、走査電極２と維持電極３の間を流れる電流を電流検出器５０１で計測することで行う。画像表示時にパネル全体に流れる最大電流値の、例えば１０％を基準値とし、この値を下回る時にヒーター板２０をＯＮ状態に、上回る時ヒーターをＯＦＦ状態になるようにマイコン５０２で制御する。このように、点灯率に応じてヒーター板２０のＯＮ・ＯＦＦを制御することにより効率的にパネル本体１４を加熱することができ、加熱電力の無駄なくパネルの温度の低下を防ぐことができる。この構成を用いたプラズマディスプレイ装置を構成し、上記実施の形態と同様に０〜１０℃の部屋で動作させたところ、放電セルの不灯は全く見られなかった。
【００２５】
また、図７に示す例は、上記実施の形態において、より効果の高いパネルの加熱を行うために、映像信号のスキャン（走査）方向に沿ってよりパネルを加熱できるように電熱線２０２を配置したものである。これは、壁電荷を形成する初期化放電から書込み放電までの時間が長くなる、つまり壁電荷の消失量が、映像信号のスキャン方向に沿って増大することから、スキャン方向に沿ってより電熱線の密度を大きくすると、より不灯になり易い領域を加熱できるのでより効果が上がる。
【００２６】
図７に電熱線２０２の配置の一例を示しており、シングルスキャンと呼ばれるスキャン方法の場合、パネルの上から下まで順次映像信号をスキャンするので、図７（ａ）のように電熱線２０２の配置はパネル下部を密にする。ダブルスキャンと呼ばれるスキャン方法の場合、パネルの上半分、下半分のそれぞれにおいて、同時に上から下の方向に映像信号をスキャンするので、図７（ｂ）のように電熱線２０２の配置は、パネル中央部と下部を密にする。
【００２７】
また、ヒーター板２０を構成するものとしては、通常のニクロム線、カンタル線、タングステン線、シリコンカーバイド焼結体など一般に通電することで効果的に発熱する抵抗体で有れば良い。
【００２８】
以上のように、パネルの温度が下がることをヒーターにより軽減することで、低温で顕著になる書込み時の壁電荷の消失による放電セルの不灯をなくすことができる。
【００２９】
また、プラズマディスプレイパネルを廃棄する場合、パネル本体１４をシャーシ部材１８からはずすのに、溶剤で熱伝導シート１９の粘着剤を溶かす等の作業が必要であり、有機物質の大気への拡散、廃液の処理等環境上課題が多い。本発明の別の効果として、ヒーター板２０に通電することにより粘着剤の粘着性を弱めることができ、溶剤を使用せずとも容易にシャーシ部材１８とパネル本体１４を分離でき、構成部材のリサイクルが環境汚染をすることなく容易に実施できる。
【００３０】
【発明の効果】
以上の説明から明らかなように、本発明にかかるプラズマディスプレイ装置によれば、ヒーターを備えることでパネル温度を高くすることができ、低温での使用時においても壁電荷の消失による放電セル不灯がなく、高速駆動が可能となるという効果が得られる。
【図面の簡単な説明】
【図１】本発明の一実施の形態によるプラズマディスプレイ装置の全体構成の一例を示す分解斜視図
【図２】図１のヒーター板の構成の一例を示す構成図
【図３】ヒーター制御機構の一例を示すブロック図
【図４】本発明の実施の形態によるプラズマディスプレイ装置において、壁電荷の消失量と温度の関係を示すグラフ
【図５】他のヒーター制御機構の一例を示すブロック図
【図６】他のヒーター制御機構の一例を示すブロック図
【図７】図１のヒーター板の構成の一例を示す構成図
【図８】プラズマディスプレイ装置のパネル構造の一部を切り欠いて示す斜視図
【図９】図８のＡ−Ａ線で切断した断面図
【図１０】図８のＢ−Ｂ線で切断した断面図
【符号の説明】
１、８　基板
２　走査電極
３　維持電極
４　表示電極
１０　データ電極
１１　隔壁
１２　蛍光体層
１３　放電セル
１４　パネル本体
１８　シャーシ部材
１９　熱伝導シート
２０　ヒーター板
２０１　薄板
２０２　電熱線
２０３　熱電対
３０１、５０２　マイコン
３０２　ヒータースイッチ
４０１　タイマー
５０１　電流検出器
【図１】
2004087289.tif 000003
【図２】
2004087289.tif 000004
【図３】
2004087289.tif 000005
【図４】
2004087289.tif 000006
【図５】
2004087289.tif 000007
【図６】
2004087289.tif 000008
【図７】
2004087289.tif 000009
【図８】
2004087289.tif 000010
【図９】
2004087289.tif 000011
【図１０】
2004087289.tif 000012